(57)【要約】【課題】粘着テープ貼付器において、従来にないあたらしい構造でテープの先端を安定させ、直接被着体に貼り付けてから切断する貼り付け作業を片手でできるようにし、更にテープの先端に折り目を付ける機能を備えた粘着テープ貼付器を提供することである。【課題を解決するための手段】粘着テープローラーを回転自在に装着可能なケース（１）と、ケース（１）の先端部を略∠字形に突出させ、そこにテープ引出口（２）を設け、その引出口（２）の前方に押圧部（３）を設け、押圧部（３）の上方に切断刃（４）を設け、押圧部（３）と切断刃（４）との間より前方のケース（１）の両側壁に回動片かまたは斜面形突出部材などから形成する一方向係止部材を設け、一方向係止部材の係止作用によりテープの先端部を安定させ、連続作業を可能にする。【選択図】図１
2007008724.tif 000002
【特許請求の範囲】
【請求項１】
ローラー状に巻回された粘着テープをケースの中に回転自在に装着させ、被着体に当てて引きながら、テープ引出口から引き出されたテープを直接被着体に貼り付ける粘着テープ貼付器において、ケースの先頭部を突出させ、その先頭部の底面にテープ引出口を設け、その引出口の前に押圧部を設け、その押圧部の上方に切断刃を設け、前記切断刃と前記押圧部との間の前方にテープガイドスペースを設け、そのテープガイドスペースの内側壁に一方向係止部材を設けた構造を特徴とする粘着テープ貼付器。
【請求項２】
ローラー状に巻回された粘着テープをケースの中に回転自在に装着させ、被着体に当てて引きながら、テープ引出口から引き出されたテープを直接被着体に貼り付ける粘着テープ貼付器において、ケースの先頭部を略三角形に突出させ、その略三角形突出部の底面にテープ引出口を設け、そのテープ引出口の前方に隣接して押圧部を設け、前記略三角形突出部の頂角から前底角までの斜面の前記押圧部の上方に切断刃を設け、前記切断刃の刃先と前記押圧部の前方辺縁を繋ぐ直線から前底角までのケース両側壁の間をテープガイドスペースとして開放し、その開放したケースの両側壁の内側に一方向係止部材を設け、その一方向係止部材の係止作用によって、切断後のテープの先端部分を安定させ、連続作業を可能にした構造を特徴とする請求項１の粘着テープ貼付器。
【請求項３】
ローラー状に巻回された粘着テープをケースの中に回転自在に装着させ、被着体に当てて引きながら、テープ引出口から引き出されたテープを直接被着体に貼り付ける粘着テープ貼付器において、ケースの先頭部を略三角形に突出させ、その略三角形突出部の底面にテープ引出口を設け、そのテープ引出口の前方に隣接して押圧部を設け、前記略三角形突出部の頂角から前底角までの斜面の前記押圧部の上方に切断刃を設け、前記切断刃の刃先と前記押圧部の前方辺縁を繋ぐ直線から前底角までのケース両側壁の間をテープガイドスペースとして開放し、その開放したケースの両側壁の内側に一方向係止部材を設けるが、その一方向係止部材は前底角から前記切断刃と前記押圧部の奥の方向に向ってだんだんと盛り上がった斜面を呈する一対の斜面形突出部材から形成し、その斜面形突出部材の係止作用によって、切断後のテープの先端部分を安定させ、連続作業を可能にした構造を特徴とする請求項１と請求項２のいずれかの粘着テープ貼付器。
【請求項４】
ローラー状に巻回された粘着テープをケースの中に回転自在に装着させ、被着体に当て引きながら、テープ引出口から引き出されたテープを直接被着体に貼り付ける粘着テープ貼付器において、ケースの先頭部を略三角形に突出させ、その略三角形突出部の底面にテープ引出口を設け、そのテープ引出口の前方に隣接して押圧部を設け、前記略三角形突出部の頂角から前底角までの斜面の前記押圧部の上方に切断刃を設け、前記切断刃の刃先と前記押圧部の前方辺縁を繋ぐ直線から前底角までのケース両側壁の間をテープガイドスペースとして開放し、その開放したケース両側壁の内側に一方向係止部材を設けるが、その一方向係止部材は少なくとも四つの葉片からなる一対の回動片から形成し、その回動片の係止作用によって、切断後のテープの先端部分を安定させ、連続作業を可能にした構造を特徴とする請求項１と請求項２のいずれかの粘着テープ貼付器。
【発明の詳細な説明】
【技術分野】
【０００１】  本発明は、セロハンテープやガムテープなどの片面のみに粘着性を有する粘着テープを装着して使う粘着テープ貼付器に関するもので、詳しくは粘着テープに手を触れずに、直接被着体に貼り付けてから切断する作業を片手で連続的に行うことが出来る粘着テープ貼付器に関するものである。
【背景技術】
【０００２】  従来、片面のみに粘着性を有する粘着テープ貼付器は、ローラー状に巻回された粘着テープを回転自在に装着したケースに、テープ切断用の刃物と切断した後のテープの先端部を安定させるための着受部を設けたホルダーやテープカッターなどが一般的にしられてある。
このようなホルダーやカッターは指でテープの先端を持ち、ホルダーから引き出して被着体に貼り付けるか、またはホルダーに設けられた刃物で切断してから被着体に貼り付けるしかできなかったため、直接被着体に貼り付けることが出来る貼付器が求められ、今までその機能を目的としたテープ貼付器が数多く発表された。
今まで発表された当分野での先行技術は、主に「特許資料１」特開平０９−３１５６６５、「特許資料２」実開昭６３−１２３５５５、「特許資料３」特開平１０−１２０２８２、「特許資料４」特開平０５−１９３８１２などがある。
【発明の開示】
【発明が解決しようとする課題】
【０００３】  ケースの中にローラー状粘着テープを装着したテープ貼付器において、粘着テープをケースの中から引き出して、被着体に貼り付け、そして切断するだけならば、テープをケースの中から引き出す為の引出口と、テープを貼り付けるための押圧部材と、貼り付けてからテープを切断する為の刃物とこの３点さえ備えれば可能である。
しかし、この一連の作業をテープに手を触れずに繰り返し行うためには、テープを切断してから再度貼り始める時点でテープの先端部が粘着面を外側に向いて係止された状態で押圧部の下に位置していなければならない。
そのため、この問題を解決するには切断後の貼付器に残された粘着テープの先端部を如何に押圧部の下に安定させるかが技術上のポイントとなる。
従来のホルダーやカッターは、テープの粘着面が切断刃に面するため、切断刃の後方に着受部を設けることによって、テープを切断すると同時に、ホルダー側のテープの先端は切断刃の後ろに設けられた着受部に粘着され、簡単にテープを安定させることができたが、テープを直接被着体に貼り付けようとする場合は、テープの粘着性を持たない面が切断刃に面するので、従来と同じテープを粘着して安定させることはできない。そして、今まで発表された上記記載の先行技術をみると、おもにそれぞれ次のような欠点をあげられる。
まず、押圧ローラーの表面に粘着性を持たせ、テープの先端をローラーに付着させて係止させる方法。この方法は経時によって、粘着部材が乾燥され、粘着性を失われるという題がある。（上記「特許資料１」特開平０９−３１５６６５公報第２頁右欄第９〜１１行参照）
次に、切断後のテープの先端部を安定させるかわりに、切断後のテープの先端部をなるべく切断刃の近い位置に残すようにし、テープの浮遊状態を減軽させるため、ケースの中にテープ姿勢安定板を設ける方法。しかしこの方法は、内装されたテープがよほど硬いタイプのものでない限り、ケースの中に設けた姿勢安定板は、引出口外のテープの先端部に対しては作用が弱いため、セロハンテープなどの軟質テープには機能発揮が難しく、限れた硬質のテープにしか向いていない。（上記「特許資料３」の特開平１０−１２０２８２を参照）
また、テープと同じ幅のガイドを設けることによって、切断後のテープ先端部の不用意な離脱を防止しようとした方法。この方法ではガイドの幅をテープと同じ幅にするだけではガイドをいくら長くしてもテープに対しての係止作用を発揮できる可能性は低い。（上記「特許資料４」特開平０５−１９３８１２参照）
また、押圧ローラーの後ろでテープを切断し、１対の繰出しロールや摩擦駆動片などのテープ繰り出し機構を設けた方法。この構造では切断後のテープの粘着面が繰出しロールに付着される可能性が高く、ドラブルが発生しやすい。（上記「特許資料２」実開昭６３−１２３５５５の公報第１頁左欄実用新案登録請求の範囲参照）
本発明は、上記記述の一連の問題を考慮し、テープ先端部を安定させるための係止問題を、今までとは異なった方法で解決することを課題とし、機械的作用力をテープに与えて、テープの動きを思った通りに変えようとするのではなく、テープの性質と特徴をうまく利用して、テープの運動軌跡に沿って、一方向のみを係止する部材を設けることによって、テープの動きに従いながら、確な係止作用を実現し、テープ貼付作業を片手で連続的行うことが出来る粘着テープ貼付器を提供することである。
【課題を解決するための手段】
【０００４】  本発明は、次の構造により構成される。
ローラー状に巻回された粘着テープ（７）を回転自在に装着可能なケース（１）に、テープ（７）を反時計方向に回転するよう装着させ、ケース（１）の被着体に接する面を底面として、テープ（７）がロールから剥がされる位置から前方のケース（１）の先頭部の形状を略三角形に突出させ、その略三角形突出部の後底角から前底角までの間の底面にテープ引出口（２）を設け、そのテープ引出口（２）の前方に隣接して押圧部（３）を設け、前記略三角形突出部の頂角から前底角までの間の斜面の前記押圧部（３）の上方に切断刃（４）を設け、前記切断刃（４）の刃先と前記押圧部（３）の前方辺縁を繋ぐ直線から前底角までのケース両側壁の間をテープガイドスペースとして開放し、その開放したケース両側壁の内側に一方向係止部材（５）を設ける。【０００５】  上記構造を基本構成とし、その中で、当発明の主要部分である上記記載の一方向係止部材（５）は、テープ（７）を切断する際、テープ（７）が切断刃（４）に当たって切断される前の緊張した状態では、牽引力に引っぱられある程度変形しながら通過することが出来るが、切断された後の緩い状態では押圧部（３）の方に逆戻りしようとする際逆戻りが出来ないよう一方向のみに対して阻止作用を発揮できるような構造になっており、この一方向係止部材（５）の形状は、ケース（１）に装着するテープの種類や特性、用途などによって異なった多様な形状にする。
例えば、ケース（１）に装着するテープ（７）が硬くて、柔軟性が欠けた場合は回動片から形成した一方向係止部材（５）が適合であり、装着したテープ（７）が薄くて柔軟な場合は斜面形突出部（９）から形成した一方向係止部材（５）が適合である。さらには、同じ回動片から形成した一方向係止部材（５）であっても、四つの葉片からなる十字形回動片（１０）にしたり、五つの葉片からなる回動片（１３）にするなど、多葉片で形成することも可能であり、同じ斜面形突出部（９）から形成した一方向係止部材（５）であっても、弾性体斜面形突出部（１１）にしたり、狭間斜面形突出部（１２）にしたり、活動斜面形突出部（１６）にしたりするなど、その形状は多様にすることが可能であるので、一方向係止部材（５）の形状はこの限りではない。【０００６】  それ以外の部分は今まで知られている公知技術を適切に利用すればよい。例えば、テープ（７）の回転を制限する手段については、ケース（１）の中に収納したテープ（７）を指で押さえられるように、ケース（１）の側面の片面か、もしくは両面の壁に孔を設け、或いはケース（１）の上方の壁を一部または大部切り欠かせて、中に装着されたテープを露出させる方法、またはケース（１）の側面壁に指先で押さえ易い大きさでスリット（１４）を設け、指でスリット（１４）を押さえ、スリット（１４）の内側がテープに当たって回転を制限可能にするなどの方法がある。
押圧部（３）はケース（１）の壁を半円柱形に突出させて設ける方法と、ケース（１）の両側壁にローラーやリングを架設して設ける方法などがある。
尚、上記記述のケース（１）の略三角形突出部の大きさは、内装するテープ（７）の大きさや、ケースのデザインなどによって異なるが、略三角形突出部を小さくすればするほどテープ貼付器をコンパクトにすることが出来る。
本発明の生産に当たっては硬質合成樹脂などを原料素材にすることができ、型づくり製法で切断刃（４）を含むほとんどの部材を左右二面の対称する型にすることが出来る。
本発明は以上の構造により構成されており、次のような効果を現す。
【発明の効果】
【０００７】  （イ）  テープ貼付器を片手で持って、押圧部を被着体の表面に当てて引くだけで、テープが次々とロールから剥がされて引出口を通って、押圧部に押さえられ被着体に貼り付く。テープを切断する際は貼付器の後部を持ち上げて前に倒しながら後ろに引くと、押圧部のかわりに突出したケースの先頭部の辺縁が被着体の表面を押すようになり、テープは押圧部と被着体に貼り付いた部分に引っ張られ、斜面形突出部や回動片などから形成した一方向係止部材を通過し多テープは、その後ろに設けた切断刃に当たって切断される。そして切断後のテープ貼付器側のテープの先端部が押圧部の方に戻ろうとするばあいは、斜面形突出部や回動片などから形成された一方向係止部材に係止され安定した状態になる。この一方向係止部材によるテープ先端部に対しての係止、安定作用は確実であるので、このような動きを繰り返すことによって、粘着テープ貼り付け作業を、テープに手を触れず、片手で連続的におこなうことが可能となる。
（ロ）  本発明は切断刃を押圧部の上方に設け、押圧部と切断刃との間の前方にテープガイドスペースを設け、そのガイドスペースに一方向係止部材を設けた構造が特徴であるが、この構造は粘着テープが緊張した状態では牽引力によってある程度変形可能であり、弛緩状態になると自動的に原形に戻るというテープの特性を利用したものなので、ケースの中に装着するテープの性質と柔軟さに合わせて、一方向係止部材を斜面形突出部にしたり、回動片形状にしたりするなどの選択が可能であり、更には斜面形突出部であっても硬体や固定体にしたり、弾性体や、活動体にしたり、まだ回動片であっても四つの葉片からなる十字形にしたり、四つ以上の多葉片形にするなど、一方向係止部材の形状は多様にすることができ、それを上手に利用することで、あらゆるタイプのテープに適用させることが可能なので実用性と汎用性が高い。
（ハ）  粘着テープ貼付作業を連続的に行うためには、切断後の貼付器のテープの先端をいかに位置付けして安定させるかが、最大のポイントになるのだが、この課題を巡って今まで多くの先行技術が発表され、歯車、バネ、スプリング、ガイド、レバー、リング等の様々な部材を使って、複雑な構造にしたものに比べ、当発明はケース両側壁をテープのガイドスペースとして設け、そのガイドスペースに一方向係止部材を設けるという、言わばテープの特性を利用した、従来とは全く異なった方法で、簡単かつ巧妙に難題を解決し、さらに、テープの用途や目的によってテープを完全に被着体に貼り付けたり、テープの先端に折目をつけて外しやすく貼り付けたりするという新しい機能を付加することができたので、当課題においては技術上の進歩と言えよう。
【発明を実施するための最良の形態】
【０００８】  以下、本発明の最良の実施形態について、図面を参照しながら詳細に説明する。
まず、主体となるケース（１）は合成樹脂などの素材による型作り製法で対称な二枚の型から形成し（図１参照）、中心部にローラー状粘着テープを回転自在に装着できる円形のテープ支持体（２０）を形成し、テープ（７）を反時計方向に回転するよう装着させ、ケース（１）の被着体に接する面を底面として、テープ（７）がロールから剥がされる位置から前のケース（１）の先頭部の形状を略三角形に突出させ、その略三角形突出部の前底角の先端を被着体に傷をつけないようやや丸くし、ケース（１）の後部を持ち上げてテープ（７）を切断する際、被着体にテープ（７）を末端部まで確り貼り付け、ケース（１）を如何なる角度まで回しても切断刃（４）が被着体の表面に当接しないよう、切断刃（４）の上方の壁面部分を周囲より若干突出させて設ける（図１参照）。またケース（１）の底面を平らにすることで、被着体の表面におきやすくし、手で握る上面は少し丸くして握りやすくし、好みによってケース（１）の外形を可愛いウサギや鼠などの模様にデザインする。【０００９】  そして略三角形突出部の後底角から前底角までの間の底面にテープ引出口（２）を設けるが、引出口（２）は内装されたテープ（７）がロールから剥がされて、引出口（２）の辺縁にあたらず、一直線で押圧部（３）の底面まで繋がる位置と角度で、ケース（１）の略三角形突出部底面の壁体の一部を切り欠けて形成し、引出口の幅はテープ（７）がぎりぎり通れる程度になるべく狭くし、テープ（７）が切断後の放松状態では、緩んでぶらさがらないよう引出口（２）の辺縁の壁にわずかに上向きの小さな突起（１８）を設けた（図１参照）。【００１０】    引出口（２）の前方に隣接して押圧部（３）を設けるが、テープの滑りを一層良くするため、押圧部（３）を円柱形ローラーとし、引出口（２）の前方の略三角形突出部の両側壁に回転自在に架設する（図１参照）。【００１１】  押圧部（３）の上方の前記略三角形突出部の頂角から前底角までの間の斜面に切断刃（４）を設けるが、テープの切れを良くするため、刃の角度を切断刃（４）の上方のケース（１）の突設部（１７）と押圧部（３）をつなぐテープ（７）を横断する角度で設ける。【００１２】  そして前記切断刃（４）の刃先と前記押圧部（３）の前方辺縁を連結する直線から前底角までのケース（１）両側壁の間を開放し、そこをテープ（７）のガイドスペースとし、その開放したケース（１）の両側壁の内側に一方向係止部材（５）として狭間斜面形突出部（１２）を設けるが、狭間斜面形突出部（１２）は、先端の方から奥の切断刃（４）の方向に向けて段々盛り上がった斜面を形成する一対の向い合った突出部をケース（１）の両側壁の内側に対向して設け、斜面を形成した一対の向い合った突出部断面同士の間隔を、テープ（７）が中心部分から折り重なってやっと通過できる程度まで狭くし、テープ（７）が狭間斜面形突出部（１２）を完全に通り抜ける前、狭間斜面形突出部（１２）に折り重ねて挟まれた状態で切断刃（４）に当たって切断されるように配置することで、テープ（７）の折り目の形が一層綺麗に形成させる。（図７ｃ参照）【００１３】  テープ（７）の回転を制限するための手段としてはケース（１）の両側面に丸い孔（８）を設け、指で直接テープを押さえて回転をコンドロールできるようにする。
そして携帯、保管の便利を図るため、引出口（２）から切断刃（４）の上部までを収納できる蓋（６）を設けることによってより完璧なものに仕上げる。【００１４】  次に本発明の使用方法について上記記載の最良の形態を例に説明する。
本発明を使用する際は、まず片手でテープ貼付器を持って、ケース（１）の略三角形突出部を前向きにして先端部を被着体の貼り始める位置に当てて、押圧部（３）で被着体を軽く押しながらわずかに前進する。すると、一方向係止部材（５）である狭間斜面形突出部（１２）に挟まれていたテープ（７）の先端が、押圧部（３）に押えられ狭間斜面形突出部（１２）から滑り落ちて被着体に貼り着き、テープ（７）の先端が貼り着いてから貼付器を手前に引くと、テープ（７）は最初に貼りついたテープに引っ張れ、次々とロールから回転しながら剥がされ、引出口（２）を通って、押圧部（３）に押えられながら被着体に貼りついていく。【００１５】  テープ（７）を切断する際は、押圧部（３）が切断したい位置に至るまで貼り付けてから、指で孔（８）からテープ（７）を抑えて回転を止めながら、貼付器の後ろ部分を持ち上げて前に倒して、手前に引き続ける。すると、押圧部（３）は被着体の表面を離れて上に上がり、代わりに略三角形状に突出したケース（１）の先頭部の丸い辺縁が被着体の表面を押圧するようになり、テープ（７）は押圧部（３）と被着体に貼り付いた部分に引っ張られ、緊張した状態で必ず略三角形状に突出したケース（１）の先頭部の両側壁の間を、つまりガイドスペースを通るようになるが、その両側壁の内側に設けた一方向係止部材（５）である狭間斜面形突出部（１２）を形成した一対の向い合った突出部断面同士の形が、最初はテープより少々広い幅から奥には入るによってだんだん狭くなる斜面を形成して、更に中心部はテープがやっと通れるまで狭くなったため、テープも斜面の形にしたがって、中間部分から段々折り曲がって、最後は完全に折り重ねて狭間斜面形突出部（１２）にはさまれた状態で、その後に設けた切断刃（４）に当たて切断される。【００１６】  切断後の被着体側のテープ（７）の先端は切断刃（４）の上方の貼付器の突出部（１７）に押さえられ被着体に貼り付き、貼付器側のテープ（７）の先端は狭間斜面形突出部（１２）に挟まれたままの状態で安定されるが、その際、テープ（７）は粘着面が折り重なったため、中心部から折り重なった状態でしっかり粘着され、次の作業を始めるとテープ（７）の先端部は粘着面が折り重ねた形のまま狭間斜面形突出部（１２）から滑り落ちて被着体に貼り付くので、その部分が折り目となり、テープを剥がしたいときはカッターや鋏などの用具を使う必要がなく、指でそのテープの折り目を引っ張るだけで簡単に剥がせるように付加機能を加えたものである。このような動作を繰り返すことで、テープ貼付け作業を片手で連続的に行うことが可能になるだけでなく、剥がしやすくする。
【実施例１】
【００１７】  次に本発明のいくつかの実施例について説明する。
図１，図２，図３は、実施例１を示したものであるが、それぞれ図１は構造分解図、図２は外観斜視図、図３はテープを切断する際のイメージ図である。
ロール状に巻回された粘着テープ（７）をケース（１）のテープ支持体（２０）にテープが反時計方向に回転するよう装着し、そのケース（１）の先頭部を略三角形状に突出させ、その略三角形突出部の後底角から前底角までの間の底面の後底角の近い位置にテープ引出口（２）を設けた。【００１８】  ケース（１）は、被着体にテープを最後まで確り貼り付けるため、切断刃（４）の上方の壁面に突設部（１７）を設けた。ケース（１）の後部を持ち上げてテープ（７）を切断する際、ケース（１）を如何なる角度まで回しても切断刃（４）が被着体の表面に当接しないようにケース（１）の壁面を切断刃（４）より突出させて設け、ケース（１）の略三角形突出部の先端角部を丸くし、被着体にあてるケース（１）の底面は平らにし、手で握る上面は少し丸くして握りやすくした。【００１９】  テープ引出口（２）はケース（１）の略三角形の突出部底面の壁体の一部を切り欠ける方法で形成し、内装されたテープ（７）がぎりぎり通れる程度になるべく狭くすることによって、テープ（７）が貼付作業を始まってから切断されるまでの緊張した状態ではロールから剥がされて、引出口（２）にあたらず、直接押圧部（３）の下面に至るようにし、切断された後の弛緩状態で、緩くぶら下がらないように引出口（２）の辺縁の壁をわずかに突出させた突起（１８）を設けた。【００２０】  引出口（２）の前方に押圧部（３）を設けたが、テープ（７）の滑りを一層よくするために、押圧部（３）を円柱形ローラーにして、ケース（１）の両側壁に回転自在に架設した。【００２１】そして略三角形突出部の頂角から前底角までの間の斜面押圧部（３）と対向する近いところに切断刃（４）を設けるが、刃の角度は切断刃（４）の上方のケース（１）の突設部（１７）と押圧部（３）を直線でつなぐテープ（７）に対して約９０度で横断する角度で設けた。【００２２】  そして前記切断刃（４）の刃先と前記押圧部（３）の前方辺縁を連結する直線から前底角までのケース（１）の両側壁の間をテープ（７）のガイドスペースとして開放し、その開放したケース（１）の両側壁に一方向係止部材（５）を設けたが、一方向係止部材（５）は、斜面形突出部（９）を採用した。斜面形突出部（９）は先端の前底角から奥の切断刃（４）と押圧部（３）を結ぶ直線の方に向って段々と盛り上がった斜面を形成し、斜面形突出部の傾斜度は図７のａのように外側はテープが支障なく入れるようにテープの幅よりやや広くし、奥に向かうによってテープが緊張した状態で変形しながら通れる程度まで狭くなって、切断刃（４）に当たる前、切断刃（４）と一定の間隔を置いて切り欠け、切断後のテープ（７）の先端が押圧部（３）の方に戻ろうとするときぶつかって係止される斜面形突出部内側断面（２１）を形成し、斜面形突出部内側断面（２１）と切断刃（４）の間のケース（１）の両側壁の間距はテープと同じ幅を形成した。（図７ａを参照）そして、テープ（７）の回転を制限するためのストッパーについてはケース（１）に内装したテープ（７）を指で押さえられるように、ケース（１）の両側面に丸い孔（８）を設けた。【００２３】  この実施例で作業を行う際は、片手でケース（１）の略二角形突出部を前向きにして��先端部を被着体の貼り始める位置に当てて、押圧部（３）で被着体を軽く押しながらわずかに前進する。すると、斜面形突出部（９）に係止されていたテープの先端が、押圧部（３）に押えられ斜面形突出部（９）から離れて被着体に貼り着き、テープの先端が貼り着いてから貼付器を手前に引くと、テープは最初に貼りついたテープに引っ張られ、回転しながらロールから剥がされ、引出口（２）を通って、押圧部（３）に押さえられながら被着体に貼りついていく。【００２４】    テープを切断するときは、押圧部（３）が切断したい位置に至るまで貼り付けてから、指で丸孔（８）からケース（１）に内装されたテープ（７）を軽く押して、テープ（７）の回転を止めながら、貼付器の後ろ部分を持ち上げて前に倒し、手前に引き続ける。すると、押圧部（３）は被着体の表面を離れて上に上がり、代わりに略三角形に突出したケース（１）の先頭部の丸い辺縁が被着体の表面を押圧するようになり、テープ（７）は押圧部（３）と被着体に貼り付いた部分に引っ張られ、緊張した状態で、一方向係止部材（５）の斜面形突出部（９）を通過するが、テープ（７）はケース（１）の両側壁に設けた斜面形突出部（９）の斜面を形成した突出部の形に沿って、両側が折り曲がって変形しながら突出部を通り抜ける。そして斜面形突出部（９）を通り抜けたら、折り曲がった部分はすぐ原形に戻って、平面状の状態でその後に設けた切断刃（４）に当たて切断される。【００２５】  切断された後は、被着体側のテープ（７）の先端は切断刃（４）の上方の貼付器の突出部（１７）に押さえられ被着体に貼りつき、貼付器側に残されたテープ（７）の先端は押圧部（３）のところに戻ろうとする。その際、テープ（７）は平面状態に戻っているため幅が先ほど通ってきた一方向係止部材である斜面形突出部（９）の内側断面（２１）の幅より広いので、内側断面（２１）にぶつかって阻止される。さらにその際テープ（７）のぶつかった面が粘着面になっているので自然に上記内側断面（２１）に軽く付着され、安定された態勢になる。次に作業を行うときは上記と同じ動作を繰り返すことで、テープ貼付け作業を片手で連続的に行うことが可能になる。【００２６】  尚、上記記述の斜面形突出部（９）においては、ケース（１）の両側壁に対向して設ける一対の斜面形突出部の大きさと角度がポイントになるが、突出部分が大きすぎるとテープ（７）が通りぬけられなくなるし、小さすぎると当然内側断面（２１）の大きさも小さくなるので切断後のテープ（７）に対しての係止作用も比例して弱くなる。また、斜面形突出部の斜面角度が急すぎるとテープが引っかかって、滑り通りにくくなるし、緩すぎると比例して各部材の間隔も遠くなるので、その分ケース（１）の略三角形突出部全体が大きくなるし、テープ（７）に対しての係止作用も弱い。よって、一方向係止部材の係止作用を確保する上で、各部材をなるべく緊密に配置して、ケース全体の形をコンパクトで格好よく仕上げるのがコツである。この原理は他の実施例にも共通する。
【実施例２】
【００２７】  図４、図５、図６は本発明実施例２を示したものである。
実施例２では、一方向係止部材（５）として、四つの葉片から形成された一対の十字形回動片（１０）をケース（１）の略三角形突出部の両側壁に相応の孔を設け、その穴の中に対向して回転自在に軸着し、テープの回転を制限するための手段としてはケース（１）の両側壁面にスリット（１４）を設け、押圧部（３）はローラーではなく、ケース（１）の壁面を半円柱形に突出させて設けたものである。【００２８】  この実施例で作業を行うときは、テープ（７）を貼り付ける段階の作業手順は上記実施例１と基本的に同じであるのでここでは省略する。テープを切断する際は、貼付器の後ろ部分を持ち上げて前に倒すと、テープ（７）は、上の部分は受着体から離れて上にあがった押圧部（３）に引かれると同時に、下の部分はすでに被着体に貼りついた部分に引っ張られ、緊張した状態で一方向係止部材を通りぬけるようになる。すると、テープ（７）は一方向係止部である回動片（１０）を押さえるので、その圧力によって回動片（１０）が回転し、四枚の葉片のうち押さえられた葉片は切断刃（４）の方向に回転して、その後ろの葉片が回転してきてテープ（７）の粘着面に後押しする形になる。一方、回動片（１０）を通ったテープ（７）は切断刃（４）にあたって切断される。
そして、切断された後貼付器に残ったテープ（７）の先端は押圧部（３）のところに戻ろうとする際、テープの粘着面があとから回ってきた回動片（１０）の葉片に阻止され、粘着面が自然に葉片に軽く付着して安定され、再作業態勢を保つようになる。この実施例はガムテープなどの厚くて硬い粘着テープに適応する。
【実施例３】
【００２９】  図７のｅは実施例３の回動片（１３）の形状イメージ図であるが、実施例３は一方向係止部材（５）が回動片によって形成された点では実施例２と同じであるが、実施例２の回動片は四つの葉片からなる十字形状に対して、実施例３は五つの葉片から形成された回動片（１３）を設けたものである。
本発明の回動片においては、四つの葉片から形成するだけでなく、五つや六つの葉片
2007008724.tif 000003
大きな変わりはなく、四つの葉片が最も効率的で、最小限の数であり、葉片の数が多ければ多いほど葉片同士の間距が狭くなるため、縮れやすい粘着テープに適応する。
【実施例４】
【００３０】  図７のｂは実施例４の弾性斜面形突出部（１１）の形状イメージを示したものである。
実施例４は一方向係止部材（５）として、一対の斜面形突出部を設けた点では上記実施例１と同じだが、斜面形突出部を形成する斜面を実心体ではなく、斜面形突出部の先端から折り曲げて形成した形にするか、または、一対の斜面形突出部形成した部材をケース（１）の両側壁に所定の幅内で回転可能に軸接し、小さいバネなどの弾性物体で弾力や伸縮性を持たせた弾性斜面形突出部（１１）を設けたものである。基本的機能は実施例１と同じであるが、相違点は斜面を形成した突出部（１１）が弾性を有するため、テープ（７）を切断する際ケース（１）に内装したテープ（７）がある程度硬いテープであっても一方向係止部材を通りやすくしたものである。
【実施例５】
【００３１】  図７のｄは実施例６の活動斜面形突出部（１６）の形状イメージを示したものである。
実施例６は、一つのテープ貼付け器に、目的や必要性に合わせてテープの先端に折り目をつけたり、つけながったりすることを自在に切り替えができるように、活動斜面形突出部（１６）を形成した一対の向い合った突出部同士の間隔を広くしたり狭くしたり切り換え可能にしたものである。活動斜面形突出部（１６）を形成した一対の向い合った突出部を、内側に押し入れた際は活動斜面形突出部（１６）は上記実施例５と同じ状態になるので、テープを切断する際、テープは中間部分から折り重ねて狭間斜面形突出部（１６）にはさまれた状態で、その後に設けた切断刃（４）に当たて切断されることで、テープの先端に折り目をつける事が可能であり、また、折り目をつける必要がない場合は活動斜面形突出部（１６）を形成した一対の向い合った突出部を両外側に引き出しておくと、活動斜面形突出部（１６）は斜面形突出部（９）と同じ形になるので、テープ（７）に折り目がつかないのだ。
【図面の簡単な説明】
【００３２】  図１は本発明実施例１の分解図である。
図２は本発明実施例１の斜視図である。
図３は本発明実施例１のテープを切断する際のイメージ図である。
図４は実施例２の斜視図である。
図５は実施例２の側面断面図である。
図６ａは実施例２の正面部分断面図である。
図６ｂは図６ａの片方部分放大図である。
図７ａは実施例３の（一方向係止部材）斜面形突出部（９）の形状イメージ図である。
図７ｂは実施例４の（一方向係止部材）弾性斜面形突出部（１１）の形状イメージ図である。
図７ｃは最良の実施形態の（一方向係止部材）狭間斜面形突出部（１２）の形状イメージ図である。
図７ｄは実施例６の（一方向係止部材）活動斜面形突出部（１６）の形状イメージ図である。
図７ｅ実施例６の（一方向係止部材）五葉回動片（１３）の形状イメージ図である。
【符号の説明】
【００３３】  １    ケース
２    引出口
３    押圧部
４    切断刃
５    一方向係止部材
６    蓋
７    テープ
８    丸孔
９    斜面形突出部（一方向係止部材）
１０  十字形回動片（一方向係止部材）
１１  弾性斜面形突出部（一方向係止部材）
１２  狭間斜面形突出部（一方向係止部材）
１３  ５葉回動片（一方向係止部材）
１４  スリット
１５  手
１６  活動斜面形突出部（一方向係止部材）
１７  切断刃上面の突出部
１８  突起
１９  軸
２０  テープ支持体
２１  斜面形突出部内側断面
２２  軸
【図１】
2007008724.tif 000004
【図２】
2007008724.tif 000005
【図３】
2007008724.tif 000006
【図４】
2007008724.tif 000007
【図５】
2007008724.tif 000008
【図６】
2007008724.tif 000009
【図７】
2007008724.tif 000010